【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  不均質廃棄物を移動するまで、廃棄物バンカー（１）中に廃棄物を投棄し、そして貯蔵する方法において、
前記廃棄物を輸送装置（１９）から輸送経路（２１）の下に設けられた投棄領域（１１）中に投棄し、廃棄物バンカーの一部として形成された予備バンカー（２）に適当な装置（１４）を用いて前記廃棄物を運搬し、次いで廃棄物バンカー（１）内に設けられた運搬手段（４）により前記廃棄物を収納し、そして前記廃棄物バンカーの一部として形成された貯蔵バンカー（３）であって、前記廃棄物を更に処理及び／又は再循環のために移動できる前記貯蔵バンカー（３）内に前記廃棄物を運搬することを特徴とする、前記方法。
【請求項２】  前記廃棄物を投棄領域（１１）内で圧縮することを特徴とする、請求項１記載の方法。
【請求項３】  前記廃棄物を投棄領域（１１）から予備バンカー（２）内に運搬し、この予備バンカーの底部を投棄領域（１１）の底部よりも低い水準に配置することを特徴とする、請求項１又は２記載の方法。
【請求項４】  前記廃棄物は投棄領域（１１）と予備バンカー（２）との間の開口（１５）を通じて予備バンカー（２）中に押し出され、この廃棄物は前もって圧縮され、更にこの廃棄物はこれが開口（１５）中で実質的にガス不透過性になるように押圧されながら更に圧縮されることを特徴とする、請求項１〜３いずれかに記載の方法。
【請求項５】  廃棄物をフラップ（２２，２３）を備える開口（１５）を通じて、投棄領域（１１）と予備バンカー（２）との間でバッチ状で押圧することを特徴とする、請求項４記載の方法。
【請求項６】  フラップ（２２，２３）は１つのバッチの廃棄物がこのフラップを通過した後に自動的に閉じることを特徴とする、請求項５記載の方法。
【請求項７】  前記廃棄物は投棄領域（１１）の開口（１２）を通じて、貯蔵室として構成された投棄領域（１１）中に上方から導入されることを特徴とする、請求項１〜６いずれかに記載の方法。
【請求項８】  前記廃棄物は投棄領域（１１）中において、漏斗形のシャフトとして構成された開口（１２）を通じて投棄領域（１１）中に導入されることを特徴とする、請求項１〜７いずれかに記載の方法。
【請求項９】  投棄領域（１１）の開口（１２）は自動閉鎖性のフラップ（１３）を備えることを特徴とする、請求項７〜８いずれかに記載の方法。
【請求項１０】  前記廃棄物を輸送装置（１９）によって投棄領域（１１）への開口（１２）上の投棄点（１８）まで運搬し、前記廃棄物が搭載された輸送装置（１９）を秤量し、投棄領域（１１）の開口（１２）を開放し、そして前記開口（１２）中に輸送装置（１９）から前記廃棄物を投棄し、次いで再度秤量し、そして前記輸送装置を前記投棄点（１８）から移動させることを特徴とする、請求項２〜７いずれかに記載の方法。
【請求項１１】  輸送装置（１９）の投棄を通じて、投棄領域（１１）の開口（１２）の領域中において塵及び臭気の発生を防止するために、投棄領域（１１）を吸引により排気することを特徴とする、請求項１０記載の方法。
【請求項１２】  火災の危険を防止するために、前記廃棄物を廃棄物バンカー（１）中において不活性ガス下で貯蔵し、及び／又は前記廃棄物を投棄領域（１１）中において実質的に不活性雰囲気下で貯蔵することを特徴とする、請求項２〜９いずれかに記載の方法。
【請求項１３】  前記不活性ガスを廃棄物（６）を通して流すことを特徴とする、請求項１２に記載の方法。
【請求項１４】  不活性雰囲気の圧力を外部大気圧よりも低く保持することを特徴とする、請求項１２〜１３いずれかに記載の方法。
【請求項１５】  窒素及び／又は二酸化炭素を不活性ガスとして使用することを特徴とする、請求項１２〜１４いずれかに記載の方法。
【請求項１６】  廃棄物（６）は、仕切弁(sluices)を通じて貯蔵バンカー（３）から排出されることを特徴とする、請求項１〜１５いずれかに記載の方法。
【請求項１７】  不均質廃棄物（６）を貯蔵するための装置であって、前記廃棄物を移動するまで貯蔵するための廃棄物バンカー（１）を有する前記装置において、
廃棄物バンカー（１）は前記廃棄物（６）を一時的に貯蔵する予備バンカー（２）と、廃棄物（６）が移動されるまで前記廃棄物を貯蔵するための貯蔵バンカー（３）と、及び前記廃棄物を前記予備バンカー（２）から前記貯蔵バンカー（３）中に移動させる運搬手段（４）とを有することを特徴とし、また投棄領域（１１）が前記廃棄物を降ろすための前記予備バンカー（２）の前方に配置されることを特徴とする、前記装置。
【請求項１８】  運搬手段（４）はグラブ（４）であることを特徴とする、請求項１７に記載の装置。
【請求項１９】  壁（８）が予備バンカー（２）と貯蔵バンカー（３）との間に存在することを特徴とする、請求項１７〜１８いずれかに記載の装置。
【請求項２０】  予備バンカー（２）は開口（１２）を通じて投棄領域（１１）に接続することを特徴とする、請求項１７〜１９いずれかに記載の装置。
【請求項２１】  予備バンカー（２）の底部は投棄領域（１１）の底部よりも低い水準で設定されることを特徴とする、請求項１７〜２０いずれかに記載の装置。
【請求項２２】  投棄領域（１１）は、前記廃棄物を投棄領域（１１）から予備バンカー（２）中に移動させ、開口（１５）内が実質的にガス不浸透性になるように前記廃棄物に圧力を加える移動及び圧力の手段（１４）を有することを特徴とする、請求項１７〜２１いずれかに記載の装置。
【請求項２３】  投棄領域（１１）はその頂部に充填開口（１２）を有する部屋であることを特徴とする、請求項２０〜２２いずれかに記載の装置。
【請求項２４】  充填開口（１２）は漏斗形のシャフトとして構成されることを特徴とする、請求項２３記載の装置。
【請求項２５】  充填開口（１２）は自動閉鎖性の閉鎖手段（１３）を有することを特徴とする、請求項２３〜２４いずれかに記載の装置。
【請求項２６】  投棄領域（１１）及び／又は漏斗形シャフト（１２）は吸引によって排気されることを特徴とする請求項２４に記載の装置。
【請求項２７】  移動及び圧力の手段（１４）はラム（１４）であり、これは投棄領域（１１）内を予備バンカー（２）に向って開口（１５）の方向に移動可能であることを特徴とする、請求項２２〜２６いずれかに記載の装置。
【請求項２８】  投棄領域（１１）と前記予備バンカー（２）との間の前記開口（１５）は水平なチャンネル（１５）として構成されることを特徴とする、請求項２０〜２７いずれかに記載の装置。
【請求項２９】  投棄領域（１１）と前記予備バンカー（２）との間の前記開口（１５）は自動閉鎖性の閉鎖手段（２２）を有することを特徴とする、請求項２０〜２８いずれかに記載の装置。
【請求項３０】  予備バンカー（２）及び／又は貯蔵バンカー（３）は実質的に不活性雰囲気で満たされることを特徴とする、請求項１７〜２９いずれかに記載の装置。
【請求項３１】  投棄領域（１１）及び／又は予備バンカー（２）は地面より下に配置され、また貯蔵バンカー（３）は少なくとも一部が地面より上に配置されること特徴とする、請求項１７〜３０いずれかに記載の装置。
【請求項３２】  投棄領域（１１）の充填開口（１２）の上端部又は予備バンカー（２）の上端部は地面の水準（２０）に配置されること特徴とする、請求項１７〜３１いずれかに記載の装置。